(57)【特許請求の範囲】
【請求項１】
蒸発器と熱交換した冷気を送風機により貯蔵室に供給して冷却する冷却貯蔵庫において、
前記蒸発器の霜取を行うための霜取ヒータと、
前記送風機近傍に設けられ、当該送風機の氷結融解に寄与する氷結融解ヒータと、
前記貯蔵室内の温度を検出するための貯蔵室温度センサと、
前記蒸発器の所定の霜取復帰温度を検出するための霜取復帰温度センサと、
これら温度センサの出力に基づき、前記蒸発器への冷媒供給と、前記送風機、霜取ヒータ及び氷結融解ヒータを制御する制御手段とを備え、
該制御手段は、前記貯蔵室温度センサが検出する前記貯蔵室の温度に基づき、前記蒸発器への冷媒供給と前記送風機を制御して前記貯蔵室の冷却運転を実行し、
前記蒸発器への冷媒供給と前記送風機を停止し、前記霜取ヒータ及び氷結融解ヒータに通電することによって前記蒸発器の霜取運転を実行し、該霜取運転の終了により前記霜取ヒータへの通電を停止すると共に、
前記霜取運転の終了後、前記送風機が回転可能である場合は前記氷結融解ヒータへの通電を停止して前記冷却運転に復帰し、回転不能である場合には当該氷結融解ヒータへ引き続き通電し、
前記制御手段は、前記霜取運転の終了後、所定時間前記氷結融解ヒータへ通電しても前記送風機が回転不能である場合、前記氷結融解ヒータへの通電を停止し、前記霜取復帰温度センサが検出する前記蒸発器の温度に基づいて当該蒸発器への冷媒供給を制御するバックアップ冷却運転を実行することを特徴とする冷却貯蔵庫。
【請求項２】
複数の前記送風機を備え、前記霜取運転の終了後、全ての前記送風機が回転可能である場合は前記氷結融解ヒータへの通電を停止して前記冷却運転に復帰し、何れかの送風機が回転不能である場合には、当該氷結融解ヒータへ引き続き通電することを特徴とする請求項１に記載の冷却貯蔵庫。
【請求項３】
冷凍室を冷却する冷凍室蒸発器と冷蔵室を冷却する冷蔵室蒸発器とを有し、圧縮機にて圧縮された冷媒をそれぞれ減圧手段を介して前記冷凍室蒸発器及び冷蔵室蒸発器に分配供給し、各蒸発器と熱交換した冷気を冷凍室送風機及び冷蔵室送風機により各室にそれぞれ供給して冷却する冷却貯蔵庫において、
前記各蒸発器の霜取をそれぞれ行うための冷凍室霜取ヒータ及び冷蔵室霜取ヒータと、
前記各送風機近傍にそれぞれ設けられ、各送風機の氷結融解に寄与する冷凍室氷結融解ヒータ及び冷蔵室氷結融解ヒータと、
前記各室内の温度をそれぞれ検出するための冷凍室温度センサ及び冷蔵室温度センサと、
前記各蒸発器の所定の霜取復帰温度を検出するための冷凍室霜取復帰温度センサ及び冷蔵室霜取復帰温度センサと、
これら温度センサの出力に基づき、前記各蒸発器への冷媒供給と、前記各送風機、各霜取ヒータ及び各氷結融解ヒータをそれぞれ制御する制御手段とを備え、
該制御手段は、前記冷凍室温度センサ及び冷蔵室温度センサがそれぞれ検出する前記冷凍室及び冷蔵室の温度に基づき、前記各蒸発器への冷媒供給と前記各送風機を制御して前記各室の冷却運転を実行し、
前記圧縮機と各送風機を停止し、前記各霜取ヒータ及び各氷結融解ヒータに通電することによって前記各蒸発器の霜取運転を実行し、該霜取運転の終了により前記各霜取ヒータへの通電を停止すると共に、
前記霜取運転の終了後、前記各送風機が回転可能である場合は前記各氷結融解ヒータへの通電を停止して前記冷却運転に復帰し、何れかの送風機が回転不能である場合には、当該回転不能な送風機が設けられた室の氷結融解ヒータへ引き続き通電し、
前記制御手段は、前記霜取運転の終了後、所定時間前記氷結融解ヒータへ通電しても前記送風機が回転不能である場合、前記氷結融解ヒータへの通電を停止し、当該回転不能な送風機が設けられた室については前記霜取復帰温度センサが検出する前記蒸発器の温度に基づいて当該室の蒸発器への冷媒供給を制御するバックアップ冷却運転を実行すると共に、回転可能な前記送風機が設けられた室については前記冷却運転に復帰することを特徴とする冷却貯蔵庫。
【請求項４】
前記制御手段は、前記霜取運転の終了後、所定時間前記氷結融解ヒータへ通電している間に前記送風機が回転可能となった場合、前記氷結融解ヒータへの通電を停止して前記冷却運転に復帰することを特徴とする請求項１乃至請求項３のうちの何れかに記載の冷却貯蔵庫。
【請求項５】
前記制御手段は、前記霜取運転の終了後、所定時間前記氷結融解ヒータへ通電しても前記送風機が回転不能である場合、前記氷結融解ヒータへの通電を停止し、回転可能な送風機を運転し、前記霜取復帰温度センサが検出する前記蒸発器の温度に基づいて当該室の蒸発器への冷媒供給を制御するバックアップ冷却運転を実行することを特徴とする請求項２に記載の冷却貯蔵庫。
【請求項６】
前記制御手段は、前記バックアップ冷却運転を実行する場合、所定の警報を発することを特徴とする請求項１、請求項３、又は請求項５のうちの何れかに記載の冷却貯蔵庫。
【発明の詳細な説明】
【技術分野】
【０００１】
本発明は、蒸発器と熱交換した冷気を送風機により貯蔵室に供給して冷却する冷却貯蔵庫に関するものである。
【背景技術】
【０００２】
従来よりこの種冷却貯蔵庫では、圧縮機と、凝縮器と、キャピラリチューブ等を介して接続された蒸発器にて冷媒回路が構成され、圧縮機から吐出された冷媒を凝縮器にて放熱した後、キャピラリチューブを介して蒸発器に流入させ、蒸発させると共に、この蒸発器と熱交換した冷気は送風機にて貯蔵室内に循環供給することにより冷却している。
【０００３】
特に、冷凍室と冷蔵室が構成されて各室の蒸発器にてそれぞれ冷却する冷却貯蔵庫では、圧縮機と、凝縮器と、キャピラリチューブを介して接続された冷蔵室蒸発器と、他のキャピラリチューブを介して接続された冷凍室蒸発器とにて冷媒回路が構成されている。そして、圧縮機から吐出された冷媒を凝縮器にて放熱した後、三方弁を介して一方のキャピラリチューブが接続された冷蔵室蒸発器、若しくは、他方のキャピラリチューブが接続された冷凍室蒸発器のそれぞれにおいて蒸発させ、各蒸発器と熱交換した冷気を、冷凍室送風機、及び、冷蔵室送風機にてそれぞれ各室に循環供給することにより冷凍室と冷蔵室をそれぞれ冷却していた（例えば、特許文献１参照）。
【０００４】
また、蒸発器には冷却運転によって着霜が成長するため、定期的に圧縮機と送風機を停止し、霜取ヒータに通電して霜を融解する霜取運転が行われる。しかしながら、特に冷凍室の場合や、冷蔵室でも設定が零度より低くなるような場合には、送風機の周辺にも着霜が成長する。この霜が多くなると、蒸発器の霜取運転中に送風機が停止している間に氷となって送風機に付着し、送風機が氷結して起動不能に陥る場合があった（例えば、特許文献２参照）。
【先行技術文献】
【特許文献】
【０００５】
【特許文献１】特許第３９２２８９１号公報
【特許文献２】特開２００９−１８０３９１号公報
【発明の概要】
【発明が解決しようとする課題】
【０００６】
しかしながら、上記特許文献２のような従来の冷却貯蔵庫では、送風機が氷結してしまった場合、警報を行うのみにとどまっていたため、回転不能となった送風機はそのまま放置されていた。
【０００７】
また、特許文献２では一つの蒸発器に対して複数の送風機を設けているために、回転不能な送風機は放置することもできるが、前述したように冷凍室と冷蔵室を有する冷却貯蔵庫において各室に一つの送風機を設けたものでは、例えば冷凍室の送風機は回転不能でも、冷蔵室の送風機は問題無い場合もある。そのような場合は、冷凍室の送風機の回転不能を警報するのみで冷却運転に復帰できなくなり、問題の無い冷蔵室の冷却も停止してしまう問題もあった。
【０００８】
本発明は、係る従来の技術的課題を解決するためになされたものであり、送風機の氷結による回転不能を効果的に解消し、解消できない場合にも貯蔵室内の冷却をできる限り実行することができる冷却貯蔵庫を提供する。
【課題を解決するための手段】
【０００９】
上記課題を解決するために請求項１の発明の冷却貯蔵庫は、蒸発器と熱交換した冷気を送風機により貯蔵室に供給して冷却するものにおいて、蒸発器の霜取を行うための霜取ヒータと、送風機近傍に設けられ、当該送風機の氷結融解に寄与する氷結融解ヒータと、貯蔵室内の温度を検出するための貯蔵室温度センサと、蒸発器の所定の霜取復帰温度を検出するための霜取復帰温度センサと、これら温度センサの出力に基づき、蒸発器への冷媒供給と、送風機、霜取ヒータ及び氷結融解ヒータを制御する制御手段とを備え、この制御手段は、貯蔵室温度センサが検出する貯蔵室の温度に基づき、蒸発器への冷媒供給と送風機を制御して貯蔵室の冷却運転を実行し、蒸発器への冷媒供給と送風機を停止し、霜取ヒータ及び氷結融解ヒータに通電することによって蒸発器の霜取運転を実行し、この霜取運転の終了により霜取ヒータへの通電を停止すると共に、霜取運転の終了後、送風機が回転可能である場合は氷結融解ヒータへの通電を停止して冷却運転に復帰し、回転不能である場合には当該氷結融解ヒータへ引き続き通電し、制御手段は、霜取運転の終了後、所定時間氷結融解ヒータへ通電しても送風機が回転不能である場合、氷結融解ヒータへの通電を停止し、霜取復帰温度センサが検出する蒸発器の温度に基づいて当該蒸発器への冷媒供給を制御するバックアップ冷却運転を実行することを特徴とする。
【００１０】
請求項２の発明の冷却貯蔵庫は、上記発明において複数の送風機を備え、霜取運転の終了後、全ての送風機が回転可能である場合は氷結融解ヒータへの通電を停止して冷却運転に復帰し、何れかの送風機が回転不能である場合には、当該氷結融解ヒータへ引き続き通電することを特徴とする。
【００１１】
請求項３の発明の冷却貯蔵庫は、冷凍室を冷却する冷凍室蒸発器と冷蔵室を冷却する冷蔵室蒸発器とを有し、圧縮機にて圧縮された冷媒をそれぞれ減圧手段を介して冷凍室蒸発器及び冷蔵室蒸発器に分配供給し、各蒸発器と熱交換した冷気を冷凍室送風機及び冷蔵室送風機により各室にそれぞれ供給して冷却するものにおいて、各蒸発器の霜取をそれぞれ行うための冷凍室霜取ヒータ及び冷蔵室霜取ヒータと、各送風機近傍にそれぞれ設けられ、各送風機の氷結融解に寄与する冷凍室氷結融解ヒータ及び冷蔵室氷結融解ヒータと、各室内の温度をそれぞれ検出するための冷凍室温度センサ及び冷蔵室温度センサと、各蒸発器の所定の霜取復帰温度を検出するための冷凍室霜取復帰温度センサ及び冷蔵室霜取復帰温度センサと、これら温度センサの出力に基づき、各蒸発器への冷媒供給と、各送風機、各霜取ヒータ及び各氷結融解ヒータをそれぞれ制御する制御手段とを備え、この制御手段は、冷凍室温度センサ及び冷蔵室温度センサがそれぞれ検出する冷凍室及び冷蔵室の温度に基づき、各蒸発器への冷媒供給と各送風機を制御して各室の冷却運転を実行し、圧縮機と各送風機を停止し、各霜取ヒータ及び各氷結融解ヒータに通電することによって各蒸発器の霜取運転を実行し、この霜取運転の終了により各霜取ヒータへの通電を停止すると共に、霜取運転の終了後、各送風機が回転可能である場合は各氷結融解ヒータへの通電を停止して冷却運転に復帰し、何れかの送風機が回転不能である場合には、当該回転不能な送風機が設けられた室の氷結融解ヒータへ引き続き通電し、制御手段は、霜取運転の終了後、所定時間氷結融解ヒータへ通電しても送風機が回転不能である場合、氷結融解ヒータへの通電を停止し、当該回転不能な送風機が設けられた室については霜取復帰温度センサが検出する蒸発器の温度に基づいて当該室の蒸発器への冷媒供給を制御するバックアップ冷却運転を実行すると共に、回転可能な送風機が設けられた室については冷却運転に復帰することを特徴とする。
【００１２】
請求項４の発明の冷却貯蔵庫は、上記各発明において制御手段は、霜取運転の終了後、所定時間氷結融解ヒータへ通電している間に送風機が回転可能となった場合、氷結融解ヒータへの通電を停止して冷却運転に復帰することを特徴とする。
【００１４】
請求項５の発明の冷却貯蔵庫は、請求項２の発明において制御手段は、霜取運転の終了後、所定時間氷結融解ヒータへ通電しても送風機が回転不能である場合、氷結融解ヒータへの通電を停止し、回転可能な送風機を運転し、霜取復帰温度センサが検出する蒸発器の温度に基づいて当該室の蒸発器への冷媒供給を制御するバックアップ冷却運転を実行することを特徴とする。
【００１６】
請求項６の発明の冷却貯蔵庫は、請求項１、請求項３、又は請求項５の発明において制御手段は、バックアップ冷却運転を実行する場合、所定の警報を発することを特徴とする。
【発明の効果】
【００１７】
本発明によれば、蒸発器の霜取運転の終了後、送風機が回転可能である場合は氷結融解ヒータへの通電を停止して冷却運転に復帰し、当該送風機或いは何れかの送風機が回転不能である場合には当該氷結融解ヒータ、又は、回転不能な送風機が設けられた室の氷結融解ヒータへ引き続き通電するようにしたので、送風機の氷結による回転不能状態（所謂ロック状態）を、霜取運転終了後も引き続いて通電される氷結融解ヒータからの熱によって効果的に融解させ、運転可能状態に回復させることが可能となる。
【００１８】
また、本発明では、所定時間氷結融解ヒータへ通電している間に送風機が回転可能となった場合、氷結融解ヒータへの通電を停止して冷却運転に復帰するようにすれば、送風機の氷結による貯蔵室、又は、冷凍室、冷蔵室の冷却不良の発生を効果的に解消し、収納物品の劣化を未然に回避することができるようになる。
【００１９】
また、本発明では、霜取運転の終了後、所定時間氷結融解ヒータへ通電しても送風機が回転不能である場合、氷結融解ヒータへの通電を停止し、霜取復帰温度センサが検出する蒸発器の温度に基づいて当該蒸発器への冷媒供給を制御するバックアップ冷却運転を実行するようにすれば、送風機の回転不能により冷気循環が行われなくなった貯蔵室に蒸発器からの冷気を自然対流させ、且つ、この蒸発器の温度で冷媒供給を制御して、できる限り貯蔵室内を冷却することができるようになる。これにより、収納物品の劣化を回避し、若しくは、最小限に抑えることが可能となる。
【００２０】
また、本発明では、複数の送風機が設けられている場合には、霜取運転の終了後、所定時間氷結融解ヒータへ通電しても送風機が回転不能である場合、氷結融解ヒータへの通電を停止し、回転可能な送風機を運転し、霜取復帰温度センサが検出する蒸発器の温度に基づいて当該室の蒸発器への冷媒供給を制御するバックアップ冷却運転を実行するようにすれば、回転可能な送風機で貯蔵室に冷気を循環しながら、蒸発器の温度で冷媒供給を制御することができるようになる。これにより、貯蔵室温度センサが当該回転不能な送風機によって生じる冷気循環により影響を受ける位置に設けられている場合にも、できる限り的確に貯蔵室内を冷却して収納物品の劣化を最小限に抑えることが可能となる。
【００２１】
また、本発明では、冷凍室と冷蔵室を有して冷凍室蒸発器と冷凍室送風機、冷蔵室蒸発器と冷蔵室送風機によりそれぞれ冷却する冷却貯蔵庫では、霜取運転の終了後、所定時間氷結融解ヒータへ通電しても送風機が回転不能である場合、氷結融解ヒータへの通電を停止し、当該回転不能な送風機が設けられた室については霜取復帰温度センサが検出する蒸発器の温度に基づいて当該室の蒸発器への冷媒供給を制御するバックアップ冷却運転を実行すると共に、回転可能な送風機が設けられた室については冷却運転に復帰するようにすれば、送風機の回転不能により冷気循環が行われなくなった室については蒸発器からの冷気を自然対流させ、且つ、この蒸発器の温度で冷媒供給を制御して、できる限り当該室内を冷却し、回転可能な送風機が設けられた室については通常の冷却運転に復帰させることができるようになる。これにより、回転可能な送風機が設けられた室については、支障無く冷却しながら、回転不能な送風機が設けられた室については収納物品の劣化を回避し、若しくは、最小限に抑えることが可能となる。
【００２２】
また、本発明では、バックアップ冷却運転を実行する場合は制御手段が所定の警報を発するようにすれば、送風機の氷結異常を使用者に迅速に報知して、対処を促すことができるようになるものである。
【図面の簡単な説明】
【００２３】
【図１】本発明を適用した冷却貯蔵庫の扉を開放した状態の斜視図である。
【図２】図１の冷却貯蔵庫の縦断側面図である。
【図３】図２のドレンパン部分の拡大図である。
【図４】図１の冷却貯蔵庫の冷媒回路図である。
【図５】図１の冷却貯蔵庫の制御装置の電気回路のブロック図である。
【図６】図５の制御装置が実行する通常冷却運転を説明するフローチャートである。
【図７】図５の制御装置が実行する霜取運転を説明するフローチャートである。
【発明を実施するための形態】
【００２４】
以下、本発明の実施の形態について詳細に説明する。図１は本発明を適用した冷却貯蔵庫１の扉を開放した状態の斜視図を示している。説明に使用する実施例の冷却貯蔵庫１は、ホテルやレストランの厨房等に設置される縦型業務用冷凍冷蔵庫であり、前面に開口する断熱箱体２により構成されている。
【００２５】
図１の冷却貯蔵庫１は、断熱箱体２内を断熱性の仕切壁２Ａ、２Ｂにて区画することにより貯蔵室としての冷凍室（Ｆ）３と冷蔵室（Ｒ）４とが構成されている。本実施例では、断熱箱体２の上部を仕切壁２Ａにて左右に区画し、仕切壁２Ａにて区画された一側（この場合図１の向かって左側）を更に仕切壁２Ｂにて上下に区画することにより、断熱箱体２内の一側（向かって左側）上部が冷凍室３、それ以外の他側（向かって右側）上部から下部全域（冷凍室３の下側）が連続した冷蔵室４とされ、向かって左上の冷凍室３とそれ以外の冷蔵室４とは相互に冷気の流通が不能に構成される。
【００２６】
そして、冷凍室３の前面開口は、断熱箱体２の一側上部に枢支された断熱扉８にて開閉自在に閉塞されると共に、冷蔵室４の前面開口は、断熱箱体２の他側上部、他側下部、一側下部のそれぞれに独立して枢支された各断熱扉９にて開閉自在に閉塞される。これにより、断熱箱体２の前面開口は、上下に設けられた二組の観音開き式の扉８、９、９、９にて開閉自在に閉塞されることとなる。
【００２７】
尚、図中１０は、仕切壁２Ｂと同じ高さの位置で断熱箱体２の前面開口部を上下に区画し、扉８、９が閉じたときにそれらの裏面と当接して密着させるための中仕切である。
【００２８】
冷凍室３の上部には、冷却貯蔵庫１の冷却装置１６を構成する蒸発器としての冷凍室蒸発器５が配設されており、この冷凍室蒸発器５及びその前側近傍に取り付けられた冷凍室送風機７Ｆ（図５）により、冷凍室３内は所定の冷凍室冷却温度範囲に冷却される。また、冷蔵室４の上部にも同じく冷却装置１６を構成する蒸発器としての冷蔵室蒸発器６が配設されており、この冷蔵室蒸発器６及びその前側近傍に取り付けられた冷蔵室送風機７Ｒにより、冷蔵室４内は所定の冷蔵室冷却温度範囲に冷却される。
【００２９】
尚、冷凍室３、冷蔵室４の配置や容積比率は、これに限定されるものではなく、相互に冷気の流通が不能とされる構成とされ、冷凍室３及び冷蔵室４のそれぞれに冷凍室蒸発器５及び冷蔵室蒸発器６が配設される冷却貯蔵庫であればよい。
【００３０】
ここで、図２は断熱箱体２の他側（向かって右側）に位置する冷蔵室４側の冷却貯蔵庫１の縦断側面図を示しており、当該図中において冷蔵室蒸発器６及び冷蔵室送風機７Ｒの下方に取り付けられた２０は、冷蔵室蒸発器６が配置された冷却室２１と冷蔵室４とを区画して冷蔵室蒸発器６からのドレン水を受けて排出するためのアルミニウム製のドレンパンである。このドレンパン２０部分の詳細構造を図４の拡大図に示す。この図において５０はドレンパン２０の下側に配置された樹脂製の蒸発器カバーである。これらドレンパン２０及び蒸発器カバー５０は後方が開放されている。また、冷蔵室送風機７Ｒはファンケース５５内に収納されており、当該冷蔵室送風機７Ｒの下側に対応する部分のドレンパン２０及び蒸発器カバー５０は開口し、特に冷蔵室送風機７Ｒに対応する部分の蒸発器カバー５０はスリット状のファンカバー５０Ａとされている。そして、冷蔵室送風機７Ｒによって冷蔵室４内から冷却室２１に吸い込まれた冷気は、冷蔵室蒸発器６と熱交換した後、冷却室２１後方から冷蔵室４内に吐出される。
【００３１】
尚、当該ドレンパン２０、蒸発器カバー５０、ファンケース５５及び冷却室２１の構成は、図示しないが冷凍室３における冷凍室蒸発器５、冷凍室送風機７Ｆについても同様とされている。
【００３２】
そして、断熱箱体２の天面には、前面、両側面、後面を構成するパネル１１にて機械室１２が画成されており、この機械室１２内には、上記各蒸発器５、６と共に冷却装置１６を構成する圧縮機１３や凝縮器１４、更には、凝縮器用送風機１５等が配設される。
【００３３】
また、冷凍室蒸発器５には当該冷凍室蒸発器５を加熱し、冷凍室蒸発器５の着霜を融解して霜取を行うための冷凍室霜取ヒータ４６が取り付けられ、更に当該冷凍室蒸発器５の所定の霜取復帰温度（例えば＋１０℃）を検出するための冷凍室霜取復帰温度センサ４１が取り付けられている。更に、冷凍室蒸発器５下側に位置するドレンパン２０には当該ドレンパン２０を加熱してドレンパン２０に付着した霜を融解すると共に、冷凍室送風機７Ｆの周辺も加熱して冷凍室送風機７Ｆの氷結の融解にも寄与する氷結融解ヒータとして機能する冷凍室ドレンパンヒータ４８（図５）が取り付けられており、冷凍室送風機７Ｆが取り付けられたファンケース５５には、当該ファンケース５５を加熱して冷凍室送風機７Ｆの氷結を融解させる（少なくとも融解に寄与する）ための氷結融解ヒータとしての冷凍室ファンケースヒータ４９が取り付けられている。
【００３４】
一方、冷蔵室蒸発器６には当該冷蔵室蒸発器６を加熱し、冷蔵室蒸発器６の着霜を融解して霜取を行うための冷蔵室霜取ヒータ４７が取り付けられ、更に当該冷蔵室蒸発器６の所定の霜取復帰温度（例えば＋１０℃）を検出するための冷蔵室霜取復帰温度センサ４２が取り付けられている。更に、冷蔵室蒸発器６下側に位置するドレンパン２０には当該ドレンパン２０を加熱してドレンパン２０に付着した霜を融解すると共に、冷蔵室送風機７Ｒの周辺も加熱して冷蔵室送風機７Ｒの氷結の融解にも寄与する氷結融解ヒータとして機能する冷蔵室ドレンパンヒータ５１が取り付けられており、冷蔵室送風機７Ｒが取り付けられたファンケース５５には、当該ファンケース５５を加熱して冷蔵室送風機７Ｒの氷結を融解させる（少なくとも融解に寄与する）ための氷結融解ヒータとしての冷蔵室ファンケースヒータ５２が取り付けられている。
【００３５】
更に、仕切壁２Ａ、２Ｂの冷蔵室４側の面の内側には冷蔵室結露防止ヒータ（ヒータ）５３が取り付けられている。この冷蔵室結露防止ヒータ５３は、仕切壁２Ａ、２Ｂの冷蔵室４側の面を加熱するヒータであり、温度の低い冷凍室３からの冷却作用により、仕切壁２Ａ、２Ｂの冷蔵室４側の面に結露が発生することを防止するものである。
【００３６】
ここで、図４の冷媒回路図を参照して冷却貯蔵庫１の冷媒回路について説明する。圧縮機１３の冷媒吐出側に凝縮器１４が接続され、この凝縮器１４の冷媒下流側には、上記冷凍室３を冷却する冷凍室蒸発器５と、冷蔵室４を冷却する冷蔵室蒸発器６がそれぞれ減圧手段としてのキャピラリチューブ１８、１９を介して接続されている。各キャピラリチューブ１８、１９は、それぞれ冷凍室３、又は、冷蔵室４における蒸発温度を考慮し、任意の口径、長さのものに選定されている。
【００３７】
本実施例では、各蒸発器５、６への冷媒供給を制御する流路切換手段としての三方弁１７により、圧縮機１３にて圧縮された冷媒をキャピラリチューブ１８を介して冷凍室蒸発器５、若しくは、キャピラリチューブ１９を介して冷蔵室蒸発器６に分配供給可能とされる。即ち、三方弁１７を切換制御することによって、各蒸発器５、６の内の何れか一方のみに選択的に冷媒を供給する状態と、冷凍室蒸発器５及び冷蔵室蒸発器６の双方に冷媒を供給する状態とを実現可能とされる。
【００３８】
また、本実施例では、三方弁１７によって各蒸発器５、６のうちの何れか一方のみに冷媒が供給された場合、必ず、供給された側の蒸発器が設けられた室の温度が所定時間内に冷却温度範囲から下に逸脱し、逸脱した方の蒸発器５、又は、６への冷媒の流入が停止（サーモオフ）される設定とされているものとする。
【００３９】
そして、各蒸発器５、６の冷媒流出側に接続された冷媒配管２２、２３は、対応するそれぞれのキャピラリチューブ１８、１９と熱交換可能に配設されて、その端部は合流部２４に接続される。当該合流部２４には、両蒸発器５、６から流出され、合流された冷媒を圧縮機１３に帰還させる吸込配管２５が接続される。
【００４０】
次に、図５の電気回路のブロック図を参照して冷却貯蔵庫１の制御手段を構成する制御装置４０について説明する。制御装置４０は汎用のマイクロコンピュータにより構成されており、記憶手段としてのメモリ２６を備え、時限手段としてのタイマ２７等をその機能として有している。
【００４１】
そして、制御装置４０の入力側には、冷凍室３、冷蔵室４の設定温度ＴＦ、ＴＲや当該設定温度を含む冷却温度範囲を任意に設定可能とするコントロールパネル（入力手段）２８と、冷凍室３の蒸発器カバー５０のファンカバー５０Ａ等に取り付けられて冷凍室３の温度を検出する冷凍室温度センサ（冷凍室温度検出手段。貯蔵室温度センサ）２９と、冷蔵室４の蒸発器カバー５０のファンカバー５０Ａ等に取り付けられて冷蔵室４の温度を検出する冷蔵室温度センサ（冷蔵室温度検出手段。貯蔵室温度センサ）３０と、外気温度を検出する外気温度センサ（外気温度検出手段）３２が接続されている。尚、コントロールパネル２８は冷凍室３の設定温度ＴＦを、−２０℃を中心として例えば−２２℃〜−１８℃の冷凍温度範囲で任意に設定可能とされており、冷蔵室４の設定温度ＴＲは、＋４℃を中心として例えば＋２℃〜＋６℃の冷蔵温度範囲で任意に設定可能とされている。また、コントロールパネル２８では、上記以外にも各種設定を変更することが可能であり、また、各種情報や警報の表示を行うための表示器（警報手段）も備えている。
【００４２】
また、制御装置４０の出力側には、圧縮機１３と、三方弁１７と、冷凍室送風機７Ｆと、冷蔵室送風機７Ｒと、凝縮器用送風機１５が接続されている。本実施例では、圧縮機１３（圧縮機のモータ）は、インバータ装置３１を介して接続されており、これによって制御装置４０は圧縮機１３の運転と停止に加え、圧縮機１３の運転周波数を下限値（Ｇ１：例えば３０Ｈｚ）から上限値（Ｇ２：例えば８０Ｈｚ）の間で任意に、リニアに制御可能とされる。
【００４３】
更に、制御装置４０の入力側には、前記冷凍室霜取復帰温度センサ４１と、冷蔵室霜取復帰温度センサ４２と、冷凍室送風機７Ｆの通電電流を検出する冷凍室送風機カレントトランス４３と、冷蔵室送風機７Ｒの通電電流を検出する冷蔵室送風機カレントトランス４４が接続されている。更にまた、制御装置４０の出力側には、前記冷凍室霜取ヒータ４６と、冷蔵室霜取ヒータ４７と、冷蔵室結露防止ヒータ５３と、冷凍室ドレンパンヒータ４８と、冷凍室ファンケースヒータ４９と、冷蔵室ドレンパンヒータ５１と、冷蔵室ファンケースヒータ５２が接続されている。
【００４４】
制御装置４０はこれらヒータ４６、４７、４８、４９、５１、５２、５３の通電率を０％〜１００％の間で制御可能とされている。即ち、制御装置４０は後述する通常冷却運転中に、所定時間毎に圧縮機１３を停止し、両霜取ヒータ４６、４７、両ドレンパンヒータ４８、５１、両ファンケースヒータ４９、５２に通電して両蒸発器５、６の霜取運転を実行する。そして、各蒸発器５、６の温度が所定の霜取復帰温度に上昇したら霜取運転を終了する。尚、この霜取運転については後に詳述する。また、制御装置４０は冷蔵室結露防止ヒータ５３に通電して仕切壁２Ａ、２Ｂの冷蔵室４側の面への結露の発生を防止する。
【００４５】
以上の構成で、次にフローチャートを参照しながら実施例の冷却貯蔵庫１の動作について説明する。尚、下記通常冷却運転中、制御装置４０は前記冷凍室霜取ヒータ４６、冷蔵室霜取ヒータ４７、冷凍室ドレンパンヒータ４８、冷蔵室ドレンパンヒータ５１、冷凍室ファンケースヒータ４９、冷蔵室ファンケースヒータ５２は非通電としている。
【００４６】
（１）通常冷却運転
制御装置４０は、電源が投入されると圧縮機１３と各送風機７Ｆ、７Ｒ、１５を運転して通常冷却運転を開始する。図６のフローチャートはこの通常冷却運転を示しており、制御装置４０はこの通常冷却運転により冷凍室３及び冷蔵室４のそれぞれが冷却温度範囲となるように圧縮機１３と三方弁１７の制御を行う。
【００４７】
即ち、コントロールパネル２８にて冷凍室３の設定温度ＴＦ（例えば、−２０℃）が設定されると、当該設定温度ＴＦを含む該設定温度ＴＦの上下の範囲で冷凍室冷却温度範囲が設定される。この場合、冷凍室冷却温度範囲は、例えば冷凍室下限温度ＴＦＬ（設定温度ＴＦ−２℃）以上、冷凍室上限温度ＴＦＨ（設定温度ＴＦ＋２℃）以下の温度範囲となる。同様にコントロールパネル２８にて冷蔵室４の設定温度ＴＲ（例えば、＋４℃）が設定されると、当該設定温度ＴＲを含む該設定温度ＴＲの上下の範囲で冷蔵室冷却温度範囲が設定される。この場合、冷蔵室冷却温度範囲は、例えば冷蔵室下限温度ＴＲＬ（設定温度ＴＲ−２℃）以上、冷蔵室上限温度ＴＲＨ（設定温度ＴＲ＋２℃）以下の温度範囲となる。尚、上記ディファレンシャル温度（２℃）はコントロールパネル２８にて変更することができる。
【００４８】
三方弁１７が両方の蒸発器５、６に冷媒を供給する状態であるものとすると、圧縮機１３から吐出された高温冷媒は、凝縮器１４にて凝縮された後、三方弁１７を経て冷凍室蒸発器５側のキャピラリチューブ１８と、冷蔵室蒸発器６側のキャピラリチューブ１９とに分流されて流入する。各キャピラリチューブ１８、１９にて減圧された冷媒は、それぞれ対応する蒸発器５、６に流入し、そこで蒸発して冷却作用を発揮する。
【００４９】
また、制御装置４０は冷凍室送風機７Ｆは連続運転、冷蔵室送風機７Ｒは冷蔵室蒸発器６に冷媒が供給される状態で連続運転、供給されない状態では間欠運転される。これら送風機７Ｆ、７Ｒが運転されると、下方の冷凍室３、冷蔵室４から冷気が吸引され、後方の蒸発器５、６に吐出される。この冷気は蒸発器５、６とそれぞれ熱交換し、冷却された後、ドレンパン２０の後方から各室３、４に吐出される。これにより、冷凍室３内及び冷蔵室４内をそれぞれ冷却する。
【００５０】
各蒸発器５、６にて蒸発した低温冷媒は、蒸発器５、６から流出した後、各冷媒配管２２、２３にそれぞれ流入し、キャピラリチューブ１８、１９の比較的高い温度の冷媒が流れる部分と熱交換した後、合流部２４にて合流して吸込配管２５より圧縮機１３に帰還する。
【００５１】
制御装置４０は図６のステップＳ１で冷凍室温度センサ２９が検出する冷凍室３の温度が前記冷凍室上限温度ＴＦＨ（設定温度ＴＦ＋２℃）以上か否か判断し、以上であればステップＳ８に進み、今度は冷蔵室温度センサ３０が検出する冷蔵室４の温度が前記冷蔵室上限温度ＴＲＨ（設定温度ＴＲ＋２℃）以上か否か判断し、以上であればステップＳ１１に進んで三方弁１７を両蒸発器５、６に冷媒を流す状態に制御する。また、このステップＳ１１で制御装置４０は、冷凍室３と冷蔵室４の現在の温度と設定温度ＴＦ、ＴＲとの偏差ｅに基づくＰＩＤ演算結果から操作量を決定し（冷凍室と冷蔵室で操作量の大きい方）圧縮機１３の運転周波数を制御する（ＰＩＤ制御）。
【００５２】
尚、制御装置４０はステップＳ８で冷蔵室４の温度が冷蔵室上限温度ＴＲＨより低い場合はステップＳ９に進み、冷蔵室４の温度が前記冷蔵室下限温度ＴＲＬ以下か否か判断し、以下である場合にはステップＳ１３に進んで三方弁１７を冷凍室蒸発器５のみに流す状態に切り換える。また、圧縮機１３は冷凍室３の温度に基づくＰＩＤ制御となる。尚、ステップＳ９で冷蔵室４の温度が冷蔵室下限温度ＴＲＬより高い場合には、制御装置４０はステップＳ１０に進み、現在冷蔵室蒸発器６に冷媒を流して冷却中か否か判断し、流している場合（即ち、下限温度まで温度を下げている途中）にはステップＳ１１に進み、流していない場合（即ち、上限温度まで温度が上がる途中）にはステップＳ１３に進む。
【００５３】
図６のステップＳ１で冷凍室３の温度が冷凍室上限温度ＴＦＨ（設定温度ＴＦ＋２℃）より低い場合、ステップＳ２に進み、冷凍室３の温度が前記冷凍室下限温度ＴＦＬ（設定温度ＴＦ−２℃）以下か否か判断し、以下であればステップＳ４に進み、冷蔵室４の温度が冷蔵室上限温度ＴＲＨ（設定温度ＴＲ＋２℃）以上か否か判断し、以上であればステップＳ１２に進んで三方弁１７を冷蔵室蒸発器６のみに冷媒を流す状態に制御する。また、このステップＳ１２で制御装置４０は冷蔵室４の温度に基づいて圧縮機１３の運転周波数をＰＩＤ制御する。
【００５４】
また、制御装置４０はステップＳ４で冷蔵室４の温度が冷蔵室上限温度ＴＲＨより低い場合はステップＳ５に進み、冷蔵室４の温度が冷蔵室下限温度ＴＲＬ以下か否か判断し、以下である場合にはステップＳ７に進んで三方弁１７を何れの蒸発器にも冷媒を流さない状態に閉じ、圧縮機１３を停止する。尚、ステップＳ５で冷蔵室４の温度が冷蔵室下限温度ＴＲＬより高い場合には、制御装置４０はステップＳ６に進み、現在冷蔵室蒸発器６に冷媒を流して冷却中か否か判断し、流している場合（即ち、下限温度まで温度を下げている途中）にはステップＳ１２に進み、流していない場合（即ち、上限温度まで温度が上がる途中）にはステップＳ７に進む。
【００５５】
また、ステップＳ２で冷凍室３の温度が冷凍室下限温度ＴＦＬ（設定温度ＴＦ−２℃）より高い場合、制御装置４０はステップＳ３に進み、現在冷凍室蒸発器５に冷媒を流して冷却中か否か判断し、流している場合（即ち、下限温度まで温度を下げている途中）にはステップＳ８に進み、流していない場合（即ち、上限温度まで温度が上がる途中）にはステップＳ４に進む。このような圧縮機１３と三方弁１７の制御により、制御装置４０は冷凍室３及び冷蔵室４の温度が前記冷凍室冷却温度範囲（設定温度ＴＦ：−２０℃を中心とした−２２℃〜−１８℃の範囲）及び冷蔵室冷却温度範囲（設定温度ＴＲ：＋４℃を中心とした＋２℃〜＋６℃の範囲）にそれぞれ入るように制御する。
【００５６】
（２）霜取運転
以上のような冷却運転により、冷凍室蒸発器５や冷蔵室蒸発器６、及び、各蒸発器５、６下側のドレンパン２０上面や、前側の冷凍室送風機７Ｆ周辺、冷蔵室送風機７Ｒ周辺には着霜が成長する。この着霜により各蒸発器５、６と空気との熱交換が阻害されると共に、通風抵抗も増加するため、制御装置４０は所定時間（例えば、６時間）毎に両蒸発器５、６の霜取運転を実行する。図７はフローチャートはこの霜取運転を示しており、制御装置４０はタイマ２７が積算する６時間が経過すると、図７のフローチャートのステップＳ１４で圧縮機１３、凝縮器用送風機１５、冷凍室送風機７Ｆ、冷蔵室送風機７Ｒを停止し、冷凍室霜取ヒータ４６、冷蔵室霜取ヒータ４７、冷凍室ドレンパンヒータ４８、冷凍室ファンケースヒータ４９、冷蔵室ドレンパンヒータ５１、冷蔵室ファンケースヒータ５２に通電する。
【００５７】
この冷凍室霜取ヒータ４６への通電により冷凍室蒸発器５は加熱され、冷蔵室霜取ヒータ４７への通電により冷蔵室蒸発器６が加熱され、各蒸発器５、６の着霜は融解されていく。また、冷凍室ドレンパンヒータ４８及び冷凍室ファンケースヒータ４９への通電により冷凍室３のドレンパン２０上及び前記ファンケースを含む冷凍室送風機７Ｆ周辺が加熱され、ドレンパン２０上及び冷凍室送風機７Ｆ周辺の霜（氷）も融解されていく。
【００５８】
制御装置４０は次にステップＳ１５で冷凍室霜取復帰温度センサ４１及び冷蔵室霜取復帰温度センサ４２がそれぞれ検出する各蒸発器５、６の温度に基づき、両蒸発器５、６の温度が例えば＋１０℃等の所定の霜取復帰温度以上まで上昇したか否か判断する。両蒸発器５、６の温度がこの霜取復帰温度まで上昇していない場合、制御装置４０はステップＳ１４に戻って霜取運転を継続する。尚、蒸発器５、６の着霜が全て融解したときの温度を予め測定しておき、その温度を霜取復帰温度として予め設定しておくものとする。
【００５９】
そして、両蒸発器５、６の温度が霜取復帰温度まで上昇した場合、制御装置４０はステップＳ１６に進んで両霜取ヒータ４７、４８を非通電とし、霜取運転を終了する。尚、何れか一方の蒸発器の温度が先に霜取復帰温度まで上昇した場合は、当該蒸発器の霜取ヒータへの通電はその時点で停止されるが、そのまま待機して他方の蒸発器の温度が霜取復帰温度に上昇するのを待つ。そして、双方の蒸発器５、６の温度が霜取復帰温度に上昇したところで制御装置４０はステップＳ１６に進み、霜取運転を終了してステップＳ１７に進む。
【００６０】
ステップＳ１７で制御装置４０は所定の水切り時間（例えば５分）だけ待機する。蒸発器５、６に融解水が付着したままで送風機７Ｆ、７Ｒの運転を開始すると、それが冷凍室３、冷蔵室４へ飛散し、冷却運転により再度氷となってしまうため、それらがドレンパン２０上に滴下するのを待つ。尚、この時点で冷凍室ドレンパンヒータ４８、冷凍室ファンケースヒータ４９、冷蔵室ドレンパンヒータ５１、及び、冷蔵室ファンケースヒータ５２へは引き続き通電されている。従って、蒸発器５、６から氷塊となってドレンパン２０に落下した霜はドレンパン２０上で融解される。
【００６１】
そして、当該水切り時間が経過したら、制御装置４０はステップＳ１７からステップＳ１８に進み、先ず冷凍室送風機７Ｆ及び冷蔵室送風機７Ｒを起動する。次に、ステップＳ１９に進み、冷凍室送風機カレントトランス４３及び冷蔵室送風機カレントトランス４４が検出する両送風機７Ｆ及び７Ｒの通電電流に基づき、冷凍室送風機７Ｆ及び冷蔵室送風機７Ｒが回転しているか否か判断する。
【００６２】
冷凍室送風機７Ｆ及び冷蔵室送風機７Ｒが正常に回転している場合、冷凍室送風機カレントトランス４３及び冷蔵室送風機カレントトランス４４が検出する通電電流は正常な値となる。そして、ステップＳ１９で両送風機７Ｆ、７Ｒの通電電流が正常な値の場合、制御装置４０はステップＳ２０に進み、冷凍室ドレンパンヒータ４８、冷凍室ファンケースヒータ４９、冷蔵室ドレンパンヒータ５１及び冷蔵室ファンケースヒータ５２への通電を停止し、圧縮機１３及び凝縮器用送風機１５を起動して通常冷却運転に復帰する。
【００６３】
一方、前述したように蒸発器５、６の温度が低かったこと等の原因により、例えば冷凍室送風機７Ｆ周辺の着霜が多く、その時点までの冷凍室ドレンパンヒータ４８や冷凍室ファンケースヒータ４９による加熱によっても冷凍室送風機７Ｆ周辺の着霜が融解できず、冷凍室送風機７Ｆの停止中にかえって成長して当該冷凍室送風機７Ｆが氷結してしまい、当該冷凍室送風機７Ｆのみが回転不能に陥っている場合（ロック状態：氷によって送風機７Ｆが回転できない）、冷凍室送風機カレントトランス４３が検出する通電電流は異常に高い値（ロック電流）となる。
【００６４】
制御装置４０は係る場合、ステップＳ１９からステップＳ２１に進んで圧縮機１３は停止したまま、冷凍室３の冷凍室ドレンパンヒータ４８及び冷凍室ファンケースヒータ４９の通電を継続する。尚、冷蔵室送風機７Ｒは回転可能であるので、冷蔵室ドレンパンヒータ５１及び冷蔵室ファンケースヒータ５２への通電は停止する。
【００６５】
そして、ステップＳ２１で制御装置４０はタイマ２７により所定の融解時間（例えば、１０分）が経過したか否か判断し、経過するまでステップＳ１９と２１を繰り返して冷凍室ドレンパンヒータ４８及び冷凍室ファンケースヒータ４９の通電を継続する。この融解時間中（ステップＳ１９と２０を繰り返している間）も制御装置４０は冷凍室送風機カレントトランス４３が検出する通電電流を監視しており、冷凍室ドレンパンヒータ４８や冷凍室ファンケースヒータ４９による加熱によって氷結が解除され、冷凍室送風機７Ｆが起動（回転可能）した場合、制御装置４０はステップＳ１９からステップＳ２０に進んで両室３、４の通常冷却運転に復帰する。
【００６６】
一方、上記融解時間が経過しても冷凍室送風機７Ｆが起動できない（回転不能）場合、制御装置４０はステップＳ２１からステップＳ２２に進んで冷凍室ドレンパンヒータ４８及び冷凍室ファンケースヒータ４９への通電を停止し、圧縮機１３及び凝縮器用送風機１５を起動する。そして、正常（冷蔵室送風機７Ｒは回転可能）な冷蔵室４については冷蔵室温度センサ３０が検出する冷蔵室４の温度に基づいて圧縮機１３と三方弁１７を制御して冷蔵室蒸発器６への冷媒供給を制御する通常冷却運転に復帰する。
【００６７】
他方、送風機７Ｆが回転不能な冷凍室３については、冷凍室蒸発器５の温度を検出する冷凍室霜取復帰温度センサ４１が検出する冷凍室蒸発器５の温度に基づき、圧縮機１３と三方弁１７を制御して冷凍室蒸発器５への冷媒供給を制御するバックアップ冷却運転に移行する。これにより冷凍室蒸発器５は冷却作用を発揮し始めるが、冷凍室送風機７Ｆは停止しているため、冷気は冷凍室蒸発器５から下方の冷凍室３に降下する自然対流となる。即ち、冷凍室３内は冷凍室蒸発器５によって冷却された冷気の自然対流で冷却されるようになる。
【００６８】
このバックアップ冷却運転で冷凍室霜取復帰温度センサ４１を用いる理由は、冷凍室送風機７Ｆが回転不能のため、冷凍室３の冷気循環が行われず、冷凍室温度センサ２９では冷媒供給を制御できなくなるからである。この場合の冷凍室３の温度制御に用いる設定温度（冷凍室蒸発器５の温度）は、前述した通常冷却運転における設定温度ＴＦでも良く、蒸発器５の温度の方が低くなることから、所定温度低い値にオフセットしたものでも良い。
【００６９】
また、制御装置４０はステップＳ２２でコントロールパネル２８の表示器（警報手段）により、冷凍室送風機７Ｆがロックした旨の所定の警報表示を行う。これにより、使用者に迅速に対応させることが可能となる。
【００７０】
尚、制御装置４０はステップＳ２２からステップＳ２３に進み、冷凍室送風機７Ｆが回転可能になったか否か判断する。そして、回転不能であればステップＳ２２に戻って冷凍室３についてはバックアップ冷却運転を継続する。一方、その後冷凍室送風機７Ｆ周辺の氷が融解或いは脱落してステップＳ２３で冷凍室送風機７Ｆが回転可能となった場合（回転し始めた場合。冷凍室送風機カレントトランス４３で検出）、制御装置４０はステップＳ２０に進み、冷凍室３についても通常冷却運転に復帰する。これにより、係るバックアップ冷却運転中に冷凍室送風機７Ｆが正常に戻った場合には、自動的に通常冷却運転に復帰できるようになる。
【００７１】
このように本発明では、各蒸発器５、６の霜取運転の終了後、両送風機７Ｆ、７Ｒが回転可能である場合は各ドレンパンヒータ４８、５１、各ファンケースヒータ４９、５２への通電を停止して通常冷却運転に復帰し、例えば冷凍室送風機７Ｆが回転不能である場合、制御装置４０は冷凍室ドレンパンヒータ４８及び冷凍室ファンケースヒータ５１へ引き続き通電するようにしたので、冷凍室送風機７Ｆの氷結による回転不能状態（ロック状態）を、霜取運転終了後も引き続いて通電される冷凍室ドレンパンヒータ４８及び冷凍室ファンケースヒータ５１からの熱によって効果的に融解させ、運転可能状態に回復させることが可能となる。
【００７２】
そして、所定時間冷凍室ドレンパンヒータ４８及び冷凍室ファンケースヒータ５１へ通電している間に冷凍室送風機７Ｆが回転可能となった場合、制御装置４０は各ヒータ４８、５１への通電を停止して通常冷却運転に復帰するので、冷凍室送風機７Ｆの氷結による冷凍室３の冷却不良の発生を効果的に解消し、収納物品の劣化を未然に回避することができるようになる。
【００７３】
一方、所定時間冷凍室ドレンパンヒータ４８及び冷凍室ファンケースヒータ５１へ通電しても冷凍室送風機７Ｆが回転不能のままである場合、制御装置４０は各ヒータ４８、５１への通電を停止し、冷凍室霜取復帰温度センサ４１が検出する冷凍室蒸発器５の温度に基づいて当該冷凍室蒸発器５への冷媒供給を制御するバックアップ冷却運転を実行するので、冷凍室送風機７Ｆの回転不能により冷気循環が行われなくなった冷凍室３に冷凍室蒸発器５からの冷気を自然対流させ、且つ、この冷凍室蒸発器５の温度で冷媒供給を制御して、できる限り冷凍室３内を冷却することができるようになる。これにより、収納物品の劣化を回避し、若しくは、最小限に抑えることが可能となる。
【００７４】
この場合、冷凍室３についてはバックアップ冷却運転を実行するが、冷蔵室送風機７Ｒが回転可能な冷蔵室４については通常冷却運転に復帰するので、冷凍室３についてはバックアップ冷却運転によって、できる限り冷却しながら、正常な冷蔵室４については通常冷却運転に復帰させることができるようになる。これにより、正常な冷蔵室４については支障無く冷却しながら、冷凍室送風機７Ｆが回転不能な冷凍室３については収納物品の劣化を回避し、若しくは、最小限に抑えることが可能となる。
【００７５】
尚、上記実施例では冷凍室送風機７Ｆのみが回転不能となった場合について説明したが、冷蔵室送風機７Ｒのみが回転不能に陥った場合も、上記説明の冷凍室３と冷蔵室４が逆になるだけで、同様な制御が行われる。更に、両送風機７Ｆ、７Ｒとも回転不能に陥った場合も同様で、その場合にはステップＳ２２で冷凍室３と冷蔵室４の双方についてバックアップ冷却運転が実行されることになる。
【００７６】
また、実施例では冷凍室３と冷蔵室４及びそれぞれの蒸発器５、６、送風機７Ｆ、７Ｒを備えた冷却貯蔵庫で本発明を説明したが、請求項１及び請求項２に関連する請求項については、単一の貯蔵室、即ち、冷凍室のみを有する冷凍庫、若しくは、冷蔵室のみを有する冷蔵庫でも本発明は有効である。特に、実施例では三方弁１７により各蒸発器５、６への冷媒供給を制御するようにしたが、そのような弁を用いた制御に限らず、単一の蒸発器を有する冷凍庫或いは冷蔵庫の場合には、圧縮機１３の運転／停止によって冷媒供給／停止を制御する場合も本発明に含まれるものとする。
【００７７】
また、本発明では、貯蔵室（冷凍室又は冷蔵室或いはそれらの一方）に複数の送風機が設けられた冷却貯蔵庫において有効である。特に、貯蔵室温度センサが取り付けられたファンカバーに対応する送風機が、霜取運転終了後に氷結融解ヒータに所定時間通電しても回転不能のままである場合には、冷気が吸引されないために貯蔵室（冷凍室若しくは冷凍室）の温度を検出できなくなる。そのような場合にバックアップ冷却運転を実行し、回転可能な送風機は運転して最低限の冷気循環を確保し、蒸発器の温度（所定温度低い値にオフセットしたものであれば貯蔵室の温度の代わりにできる）で蒸発器への冷媒供給を制御すれば、できる限り的確に貯蔵室内を冷却し、収納物品の劣化を最小限に抑えることが可能となる。
【００７８】
更に、実施例では送風機７Ｆ、７Ｒの氷結融解に寄与する氷結融解ヒータとして各ドレンパンヒータ４８、５１と、各ファンケースヒータ４９、５２を設けているが、それに限らず、ドレンパンヒータのみ設ける構成であっても良い。
【００７９】
更にまた、実施例ではカレントトランス４３、４４により各送風機７Ｆ、７Ｒの通電電流を検出するようにしたが、それに限らず、抵抗（シャント抵抗）等の他の電流検出手段により検出するようにしても良い。
【符号の説明】
【００８０】
１  冷却貯蔵庫
２  断熱箱体
３  冷凍室（貯蔵室）
４  冷蔵室（貯蔵室）
５  冷凍室蒸発器（蒸発器）
６  冷蔵室蒸発器（蒸発器）
７Ｆ  冷凍室送風機（送風機）
７Ｒ  冷蔵室送風機（送風機）
１３  圧縮機
１４  凝縮器
１７  三方弁
１８、１９  キャピラリチューブ
２１  冷却室
２８  コントロールパネル（入力手段）
２９  冷凍室温度センサ（貯蔵室温度センサ）
３０  冷蔵室温度センサ（貯蔵室温度センサ）
３２  外気温度センサ
４０  制御装置（制御手段）
４１  冷凍室霜取復帰温度センサ（霜取復帰温度センサ）
４２  冷蔵室霜取復帰温度センサ（霜取復帰温度センサ）
４３  冷凍室送風機カレントトランス
４４  冷蔵室送風機カレントトランス
４６  冷凍室霜取ヒータ（霜取ヒータ）
４７  冷蔵室霜取ヒータ（霜取ヒータ）
４８  冷凍室ドレンパンヒータ（氷結融解ヒータ）
４９  冷凍室ファンケースヒータ（氷結融解ヒータ）
５１  冷蔵室ドレンパンヒータ（氷結融解ヒータ）
５２  冷蔵室ファンケースヒータ（氷結融解ヒータ）
【図１】
0005975379.tif 000002
【図２】
0005975379.tif 000003
【図３】
0005975379.tif 000004
【図４】
0005975379.tif 000005
【図５】
0005975379.tif 000006
【図６】
0005975379.tif 000007
【図７】
0005975379.tif 000008